(57)【要約】      （修正有）【課題】立ち上がりや着座が容易で、リビングが利用しやすくなり、リビングとは別空間を認識でき、キッチンユニットから見渡せる安心感も得られる集合住宅の部屋構造を提供する。【解決手段】内壁２５から垂直に延在するキッチンユニット１１と、キッチンユニット１１の内壁２５と反対側に延在するテーブル１３と、テーブル１３に接続しキッチンユニット１１の対面側で内壁２５へ向かって連続面となって延在するカウンター１５と、キッチンユニット１１とキッチンユニット１１を囲むテーブル１３及びカウンター１５との境で起立する腰壁１７と、コンロ２７の対面側で天井へ至る隔壁１９と、キッチンユニット１１の対面側で内壁２５に沿ってリビング室空間Ｌの隅３９に至って設けられ、フローリング床面３１よりも高くカウンター１５よりも低い小上がりよりなり、上面に畳４３が敷かれた小上がり和室２１とを備える。【選択図】図１
0003224260.tif 000002
【実用新案登録請求の範囲】
【請求項１】
リビング室空間とダイニング室空間とキッチン室空間とが連続した室空間として一部屋とされたリビング・ダイニング・キッチン室を有するマンションタイプの集合住宅の部屋構造において、
内壁から垂直に延在し少なくともコンロとシンクとが前記内壁から前記垂直な方向に並んで配置される前記キッチン室空間に構成されるキッチンユニットと、
前記キッチンユニットの前記シンクを挟んで前記コンロと反対側に接続して延在し、ダイニング室空間に構成されるテーブルと、
前記テーブルに接続し前記キッチンユニットの対面側で前記内壁へ向かって連続面となって延在するカウンターと、
前記キッチンユニットとこのキッチンユニットを囲む前記テーブル及び前記カウンターとの境で起立する腰壁と、
前記コンロの対面側で前記内壁に沿い前記腰壁から天井へ至る隔壁と、
前記キッチンユニットの対面側で前記内壁に沿って前記リビング室空間の隅に至って設けられ、前記リビング室空間のフローリング床面よりも高く前記カウンターよりも低い小上がりよりなり、上面に畳が敷かれた小上がり和室と、
を備えることを特徴とする集合住宅の部屋構造。
【請求項２】
前記内壁と前記カウンターの終端との間に、前記カウンターの施工されないカウンター非施工部を有し、
該カウンター非施工部には、前記キッチンユニットの対面側で前記小上がり和室に臨む収納部が設けられることを特徴とする請求項１に記載の集合住宅の部屋構造。
【請求項３】
前記小上がり和室と前記フローリング床面との境に、前記キッチンユニットから離間して出入口を有して起立した立ち上がり壁が設けられることを特徴とする請求項１または２に記載の集合住宅の部屋構造。
【考案の詳細な説明】
【技術分野】
【０００１】
本考案は、マンションタイプの集合住宅の部屋構造に関する。
【背景技術】
【０００２】
リビング室空間とダイニング室空間とキッチン室空間とが連続した室空間として一部屋とされたリビング・ダイニング・キッチン室や、リビング室の一部に、畳材よりなる床材を、フローリング床の上に敷き、和コーナーを構成する例がある。この和コーナーは、所謂、中和室などと呼ばれて区画される。中和室のような畳敷き部分は、寝転がるなどフローリング床では得られない寛ぎ空間を作ることができ、足を伸ばして座ることが可能となる。中和室は、例えば、乳幼児を一時的に寝かせるための空間としても使える。
【先行技術文献】
【特許文献】
【０００３】
【特許文献１】特開平２００６−９００９６号公報
【特許文献２】実用新案登録第３１７３３５０号公報
【考案の概要】
【考案が解決しようとする課題】
【０００４】
しかしながら、従来の畳材をフローリング床の上に敷いた中和室は、フローリング床からの高さが低い、或いは無いことから、畳面からの立ち上がりや畳面への着座がしにくく、リビング全体が利用しにくくなる場合がある。また、従来の中和室は、フローリング床と高さがほぼ同じになるので、フローリング床にラグや絨毯、シート等を敷いた状態とあまり変わらない。
【０００５】
本考案は上記状況に鑑みてなされたもので、その目的は、立ち上がりや着座が容易となり、リビング室空間として利用しやすくなるとともに、フローリング床面部分とは別空間を認識でき、しかも、キッチン室空間やキッチンユニットから見渡せる安心感も得ることができる集合住宅の部屋構造を提供することにある。
【課題を解決するための手段】
【０００６】
次に、上記の課題を解決するための手段を、実施の形態に対応する図面を参照して説明する。
本考案の請求項１記載の集合住宅の部屋構造は、リビング室空間Ｌとダイニング室空間Ｄとキッチン室空間Ｋとが連続した室空間として一部屋とされたリビング・ダイニング・キッチン室２３を有するマンションタイプの集合住宅の部屋構造において、
内壁２５から垂直に延在し少なくともコンロ２７とシンク２９とが前記内壁２５から前記垂直な方向に並んで配置される前記キッチン室空間Ｋに構成されるキッチンユニット１１と、
前記キッチンユニット１１の前記シンク２９を挟んで前記コンロ２７と反対側に接続して延在し、ダイニング室空間Ｄに構成されるテーブル１３と、
前記テーブル１３に接続し前記キッチンユニット１１の対面側で前記内壁２５へ向かって連続面となって延在するカウンター１５と、
前記キッチンユニット１１とこのキッチンユニット１１を囲む前記テーブル１３及び前記カウンター１５との境で起立する腰壁１７と、
前記コンロ２７の対面側で前記内壁に沿い前記腰壁１７から天井３７へ至る隔壁１９と、
前記キッチンユニット１１の対面側で前記内壁２５に沿って前記リビング室空間Ｌの隅３９に至って設けられ、前記リビング室空間Ｌのフローリング床面３１よりも高く前記カウンター１５よりも低い小上がり４１よりなり、上面に畳４３が敷かれた小上がり和室２１と、
を備えることを特徴とする。
【０００７】
この集合住宅の部屋構造では、内壁２５から、キッチンユニット１１が垂直に延在する。キッチンユニット１１は、内壁２５から少なくともコンロ２７と、シンク２９とを順に並べた矩形状となる。キッチンユニット１１には、シンク２９を挟んでコンロ２７と反対側に、テーブル１３が接続される。従って、内壁２５からは、コンロ２７、シンク２９、テーブル１３が順に並んで半島状に配置される。テーブル１３は、キッチンユニット１１の対面側となるリビング室空間Ｌ側へ少し張り出す。キッチンユニット１１から張り出した部分のテーブル１３にはカウンター１５が接続される。
カウンター１５は、キッチンユニット１１の対面側で内壁２５へ向かって延在する。カウンター１５は、延在方向の終端が内壁２５に接続されてもよく、離間していてもよい。キッチンユニット１１とこのキッチンユニット１１を囲むテーブル１３及びカウンター１５との境には、腰壁１７が起立して配置される。腰壁１７は、キッチンユニット１１とテーブル１３との間、及びキッチンユニット１１とカウンター１５との間を、キッチン室空間Ｋで立つ人の目線よりも低い高さで仕切っている。
キッチンユニット１１は、コンロ２７の対面側が、腰壁１７から内壁２５に沿って天井３７へ至る隔壁１９により覆われる。つまり、コンロ２７による熱が、隔壁１９により遮られ、直接、キッチンユニット１１の対面側へは影響しないようになっている。
キッチンユニット１１の対面側には、内壁２５に沿ってリビング室空間Ｌの隅３９に至る小上がり和室２１が配置される。小上がり和室２１は、リビング室空間Ｌにおけるフローリング床面３１よりも高い小上がり４１となる。この小上がり４１は、カウンター１５よりも上面が低い。小上がり和室２１は、小上がり４１の上面に畳４３が敷かれることにより、和コーナーとなる。
この集合住宅の部屋構造では、キッチン室空間Ｋとリビング室空間Ｌの隅３９との間のリビング室空間Ｌの一部空間に、小上がり４１による和コーナーとなる小上がり和室２１が形成される。この小上がり和室２１は、小上がり４１による段差部に、容易に着座することができる。また、段差部への着座のため、容易に立ち上がることができる。小上がり和室２１は、従来の同一平面のフローリング床面３１に畳のみを敷いたリビング室空間Ｌのフローリング床面３１に比べ、寝ころんでも不快感がない。すなわち、地べたに寝転んでいるような感がない。
小上がり和室２１は、乳幼児の一時的な寝かせ場所、洗濯物の取り込み・畳み場所として便利に使用できる。小上がり和室２１は、畳上で足を伸ばせる空間となり、こたつなどの設置も可能となる。小上がり和室２１は、キッチンユニット１１の対面側にカウンター１５が連続しており、和室風空間での食事等が可能となる。カウンター１５は、高さが座卓、ちゃぶ台、ローテーブル等と同等で使いやすいものとなる。カウンター１５は、テーブル１３から連続した面で構成されるので、テーブル１３との一体感もある。
また、この集合住宅の部屋構造では、小上がり和室２１が、立体感のあるリビング室空間Ｌの一部として構成される。小上がり和室２１のカウンター１５からは、キッチン室空間Ｋに立つ人との距離が、所謂、カウンター付対面キッチンと同じとなる。このため、キッチン側からの開放感、キッチン側から小上がり和室２１や、リビング室空間Ｌ全体を見渡せる安心感が得られる。
【０００８】
本考案の請求項２記載の集合住宅の部屋構造は、請求項１に記載の集合住宅の部屋構造であって、
前記内壁２５と前記カウンター１５の終端との間に、前記カウンター１５の施工されないカウンター非施工部４９を有し、
前記カウンター非施工部４９には、前記キッチンユニット１１の対面側で前記小上がり和室２１に臨む収納部が設けられることを特徴とする。
【０００９】
この集合住宅の部屋構造では、カウンター１５が内壁２５に接続しない構成において、テーブル１３から内壁２５に向かって延在するカウンター１５の延在方向の終端と内壁２５との間には、カウンター非施工部４９が設けられる。
カウンター非施工部４９には、キッチンユニット１１の対面側に、収納部（５３，６５）が配置される。キッチンユニット１１は、内壁２５側よりコンロ２７が並ぶので、コンロ２７の対面側に収納部（５３，６５）が配置される。つまり、コンロ２７と小上がり和室２１とは、収納部（５３，６５）により仕切られる。収納部（５３，６５）は、小上がり和室２１に臨む面が、開き戸や、引戸、クローゼット開閉扉となる。これにより、小上がり和室２１は、収納部（５３，６５）を備えた和室構成となり、座布団、ちゃぶ台やこたつの収納、寝具類の収納等が容易となり、さらに使い勝手がよくなる。
【００１０】
本考案の請求項３記載の集合住宅の部屋構造は、請求項１または２に記載の集合住宅の部屋構造であって、
前記小上がり和室２１と前記フローリング床面３１との境に、前記キッチンユニット１１から離間して出入口４５を有して起立した立ち上がり壁４７が設けられることを特徴とする。
【００１１】
この集合住宅の部屋構造では、小上がり和室２１の段差部に、立ち上がり壁４７が設けられる。立ち上がり壁４７は、カウンター１５から出入口４５を介して離間する。出入口４５と反対側の立ち上がり壁４７は、内壁２５に隅３９を挟んで直角に交わる直交内壁５９に至って接続される。この立ち上がり壁４７の高さは、腰壁１７ほどの高さに設定することができる。従って、キッチン室空間Ｋからは、腰壁１７越しに小上がり和室２１の空間は見渡せるが、リビング室空間Ｌのフローリング床面３１側から小上がり和室２１の空間への視線は遮られる。また、小上がり和室２１からは、畳面に着座の状態で、リビング室空間Ｌのフローリング床面３１側への視線が遮られる。
なお、小上がり和室２１の畳４３で成人が起立した状態では、フローリング床面３１側を見渡すことが可能となり、プライバシーの適度な確保が可能となる。
また、立ち上がり壁４７を設けた小上がり和室２１では、出入口４５を除いて周囲が壁に包囲されるので、特に幼児等の遊技空間としての安全が確保しやすくなる。
【考案の効果】
【００１２】
本考案に係る請求項１記載の集合住宅の部屋構造によれば、小上がりの段差により、立ち上がりや着座が同一平面のフローリング床面に比べ容易となり、リビング室空間として利用しやすくなるとともに、畳から天井までの高さが低くなることにより、フローリング床面側とは別空間を認識でき、しかも、キッチン室空間から小上がり和室を見渡せる安心感も得ることができる。
【００１３】
本考案に係る請求項２記載の集合住宅の部屋構造によれば、小上がり和室が収納を備えることにより、小上がり和室が部屋のように使用可能となり、しかも、散らかることがない。
【００１４】
本考案に係る請求項３記載の集合住宅の部屋構造によれば、小上がり和室からリビング室空間のフローリング床面側への視線、或いはフローリング床面側から小上がり和室への視線を遮ることができ、小部屋のような感覚で居られるとともに、段差での落下を抑制できる。
【図面の簡単な説明】
【００１５】
【図１】本考案に係る集合住宅の部屋構造を表す平面図である。
【図２】リビング・ダイニング・キッチン室の各領域を示す平面図である。
【図３】図１，２に示したキッチンユニット及び小上がり和室の斜視図である。
【図４】図１のＡ−Ａ断面図である。
【図５】図１のＢ−Ｂ断面図である。
【図６】小上がり和室に収納部が設けられる変形例に係る集合住宅の部屋構造を表す平面図である。
【図７】図６のＣ−Ｃ断面図である。
【図８】図６のＥ−Ｅ断面図である。
【図９】収納部がクローゼットである変形例に係る集合住宅の部屋構造を表す平面図である。
【考案を実施するための形態】
【００１６】
以下、本考案に係る実施形態を図面を参照して説明する。
図１は、本考案に係る集合住宅の部屋構造を表す平面図、図２は、リビング・ダイニング・キッチン室の各領域を示す平面図である。
本実施形態に係る集合住宅の部屋構造は、リビング室空間Ｌとダイニング室空間Ｄとキッチン室空間Ｋとが連続した室空間として一部屋とされたリビング・ダイニング・キッチン室（以下、ＬＤＫ室とも称す）２３を有するマンションタイプの集合住宅などに構成される部屋構造であって、キッチンユニット１１と、テーブル１３と、カウンター１５と、腰壁１７と、隔壁１９と、小上がり和室２１とを主要な構成として有している。
【００１７】
キッチン室空間Ｋのキッチンユニット１１は、ＬＤＫ室２３の部屋空間の内壁２５に接合し、この内壁２５から垂直に延在する。キッチンユニット１１は、少なくともコンロ２７とシンク２９とが内壁２５から垂直な方向に並んで配置される。コンロ２７の上部には、排気フード（図示略）が設けられる。
【００１８】
ダイニング室空間Ｄのテーブル１３は、キッチンユニット１１のシンク２９を挟んでコンロ２７と反対側に接続して延在する。テーブル１３は、フローリング床面３１から７００ｍｍ程度の高さとなる。フローリング床面３１と壁の交わる隅部には、幅木３３（図３）が設けられている。キッチンユニット１１から延出したテーブル１３は、キッチンユニット１１との接合固定に加え、下面に設けられた複数の脚部３５によりフローリング床面３１に支持される。テーブル１３は、キッチンユニット１１の延在方向に直交する幅方向（内壁２５と平行な方向）が８００ｍｍ程度となる。キッチンユニット１１からの延出長は、１３００ｍｍ程度となる。キッチンユニット１１とテーブル１３とは、平面視略長方形状に連続して、対向する側端部同士が、相互に固定されて、平面視略長方形状に連続し、内壁２５から半島状に構成している。
【００１９】
テーブル１３は、キッチンユニット１１との接続辺部を除く周囲が、リビング室空間Ｌ側に開放されて人が移動又は集合可能なダイニング室空間Ｄとされる。テーブル１３の長辺側の長さは、例えば、この一対の平行な長辺側に２個の腰掛け椅子７１が配置される長さとすればよい。
【００２０】
図３は、図１，２に示したキッチンユニット１１及び小上がり和室２１の概略斜視図である。
カウンター１５は、上面がテーブル１３と連続した同一平面となってテーブル１３に接続する。テーブル１３は、幅方向が、キッチンユニット１１の対面側、すなわちリビング室空間Ｌ側に張り出す。カウンター１５は、このテーブル１３の張り出し部分からキッチンユニット１１の対面側で内壁２５へ向かって延在する。なお、本実施形態において、カウンター１５は、内壁２５に接続される。
【００２１】
図４は、図１のＡ−Ａ断面図である。
腰壁１７は、キッチンユニット１１と、このキッチンユニット１１を囲むテーブル１３及びカウンター１５との境で起立する。腰壁１７は、リビング２３のフローリング床面３１から１０５０ｍｍ程度の高さとなる。
【００２２】
隔壁１９は、コンロ２７の対面側で腰壁１７から垂直に天井３７へ内壁２５に沿って至る。隔壁１９は、腰壁１７の上端から天井３７に至って設けられてもよく、腰壁１７を省略して直接、フローリング床面３１から天井３７に至って設けられてもよい。この隔壁１９によって、コンロ２７による熱が遮られ、直接、キッチンユニット１１の対面側、すなわち後述する小上がり和室２１側へ影響しないようになっている。
【００２３】
小上がり和室２１は、キッチンユニット１１の対面側で内壁２５に沿ってリビング室空間Ｌの隅３９に至って設けられる。小上がり和室２１は、ＬＤＫ室２３のフローリング床面３１よりも高く、カウンター１５よりも低い小上がり４１となる。小上がり４１の高さは、フローリング床面３１から２６０〜３３０ｍｍ程度で、好ましくは３３０ｍｍ程度となる。この小上がり和室２１は、小上がり４１の上面に畳４３が敷かれる。上記のカウンター１５は、この畳４３からの高さが、例えば座卓程度の高さ（３７０ｍｍ）となって配置され、畳面に座った状態での使い勝手がよい。
【００２４】
小上がり和室２１は、空間としてはリビング室空間Ｌの一部となり連続空間となるが、小上がり４１となり、リビング室空間Ｌのフローリング床面３１とは異なる高さの畳面となる。小上がり和室２１は、キッチンユニット１１に連続するテーブル１３、テーブル１３から連続してキッチンユニット１１の対面側に延在するカウンター１５があり、カウンター１５が小上がり和室内に続く構成となっている。
【００２５】
ＬＤＫ室２３としてのリビング室空間Ｌは、フローリング床面３１から天井面までが約２４００ｍｍで縦方向に開放感のある空間である。小上がり和室２１では、小上がり４１の高さ分、天井が低く感じられることとなり、畳面から天井面までが約２０７０ｍｍとなる。小上がり和室２１は、室内としては天井３７が低くなり、そのことや、畳面を有することにより日本家屋風の安心感が得られる空間となる。
【００２６】
小上がり和室２１は、畳４３が、例えば縁無し畳４３、例えば琉球畳などで構成される。小上がり和室２１は、おおよそ３．５畳の面積で画成される。
【００２７】
図５は、図１のＢ−Ｂ断面図である。
集合住宅の部屋構造は、小上がり和室２１とリビング室空間Ｌのフローリング床面３１側との境に、キッチンユニット１１から離間して出入口４５を有して起立した立ち上がり壁４７を設けることができる。出入口４５は、８００ｍｍ程度で開口される。立ち上がり壁４７は、天井面まで達しない腰高の高さ程度、所謂ローパーティションのような構成で、本実施形態ではリビング２３のフローリング床面３１から１０６０ｍｍ程度の高さとなる。小上がり和室２１は、立ち上がり壁４７が設けられることにより、リビング室空間Ｌのフローリング床面３１側から、及び小上がり和室２１側からの双方の視線を避けることができるようになり、また、小上がり和室２１側からの転落防止にもなる。
【００２８】
なお、集合住宅の部屋構造は、立ち上がり壁４７が設けられなくてもよい。この場合、小上がり和室２１は、段差を備える和コーナーとされる。この小上がり和室２１では、フローリング床面３１との境が上がり口である上框となる。小上がり和室２１は、この上框の全長に渡って多人数の着座が可能となる。また、リビング室空間Ｌとして小上がり４１を備えた連続した空間居室となる。
【００２９】
なお、上記した立ち上がり壁４７は、透孔や隙間の無い壁でもよく、或いは枠体に小窓を備える構成や、柵などで構成してもよく、さらには、上記した出入口４５を複数備えるような構成としてもよい。
【００３０】
このように構成されたＬＤＫ室２３は、図２に示すように、リビング室空間Ｌ、ダイニング室空間Ｄ、キッチン室空間Ｋが連続しながらそれぞれに区画されつつ、リビング室空間Ｌ内に小上がり和室２１が画成されるとともに、ダイニング室空間Ｄがカウンター１５を備えることでリビング室空間Ｌの小上がり和室２１内にも延び、小上がり和室２１内を和風ダイニング室空間としても利用でき、図２中斜線部分のようにリビング室空間Ｌ、ダイニング室空間Ｄ、小上がり和室２１の各室空間の重なる空間を形成して共用空間の隔たりを減らしている。また、キッチン室空間Ｋから小上がり和室２１を含むリビング室空間Ｌの全体を見渡すことができ、安心感をもたらすものとなる。
【００３１】
図６は、小上がり和室２１に収納部が設けられる変形例に係る集合住宅の部屋構造を表す平面図である。
集合住宅の部屋構造は、内壁２５とカウンター１５の終端との間に、カウンター１５の施工されないカウンター非施工部４９が設けられてもよい。カウンター非施工部４９には、キッチンユニット１１の対面側で小上がり和室２１に臨む収納部が設けられる。また、この変形例では、内壁２５に、出窓５１が設けられる。
【００３２】
図７は、図６のＣ−Ｃ断面図、図８は、図６のＥ−Ｅ断面図である。
収納部は、例えば押入５３とすることができる。押入５３は、畳４３で構成される空間側に、襖５５などの引戸で開閉できるようにすることにより、小上がり和室２１に調和させることができる。そして、この押入５３が、前述の実施形態における隔壁１９と同等の構成となり、すなわちキッチンユニット１１のコンロ２７による熱が遮られる。
【００３３】
小上がり和室２１は、このＬＤＫ室２３が、建物としての所謂角部屋に位置するなどの場合に、押入５３に加え、内壁２５に出窓５１を設け、出窓５１の内側に引き障子５７を設けることができる。また、小上がり和室２１は、直交内壁５９に窓６１を設けることができる。小上がり和室２１は、窓６１の設けられた直交内壁５９から所定の範囲だけ、畳４３に代えて板の間６３が設けられてもよい。これにより、小上がり和室２１は、リビング室空間Ｌでありながら、一層、和コーナーとしての調和を図ることができる。
【００３４】
図９は、収納部がクローゼット６５である変形例に係る集合住宅の部屋構造を表す平面図である。
収納部は、クローゼット６５としてもよい。クローゼット６５は、扉が折れ戸６７で構成される。折れ戸６７を備えるクローゼット６５は、開放時の折れ戸６７の突出距離を小さく抑えながら、収納空間を大面積で開放することができる。畳の敷かれた和空間に、収納作業性の良好なクローゼット６５を合わせ、使い勝手のよい小上がり和室２１を構成できる。
【００３５】
次に、上記した構成の作用を説明する。
【００３６】
本実施形態に係る集合住宅の部屋構造では、内壁２５から、キッチンユニット１１が垂直に延在する。キッチンユニット１１は、内壁２５から少なくともコンロ２７と、シンク２９とを順に並べた矩形状となる。キッチンユニット１１には、シンク２９を挟んでコンロ２７と反対側に、テーブル１３が接続される。従って、内壁２５からは、コンロ２７、シンク２９、テーブル１３が順に並んで半島状となって配置される。テーブル１３は、キッチンユニット１１の対面側となるリビング室空間Ｌへ少し張り出し、ダイニング室空間Ｄとなる。キッチンユニット１１から張り出した部分のテーブル１３にはカウンター１５が接続される。
【００３７】
カウンター１５は、キッチンユニット１１の対面側で内壁２５へ向かって延在する。カウンター１５は、延在方向の終端が内壁２５に接続されてもよく、離間していてもよい。キッチンユニット１１とこのキッチンユニット１１を囲むテーブル１３及びカウンター１５との境には、腰壁１７が起立して配置される。腰壁１７は、キッチンユニット１１とテーブル１３との間、及びキッチンユニット１１とカウンター１５との間を、キッチン室空間Ｋで立つ人の目線よりも低い高さで仕切っている。
【００３８】
キッチンユニット１１は、コンロ２７の対面側が、腰壁１７から内壁２５に沿って天井３７へ至る隔壁１９により覆われる。つまり、コンロ２７による熱が、隔壁１９により遮られ、直接、キッチンユニット１１の対面側となる小上がり和室２１へは影響しないようになっている。
【００３９】
キッチンユニット１１の対面側には、内壁２５に沿ってリビング室空間Ｌの隅３９に至る小上がり和室２１が配置される。小上がり和室２１は、ＬＤＫ室２３のフローリング床面３１よりも高い小上がり４１となる。この小上がり４１は、カウンター１５よりも上面が低い。小上がり和室２１は、小上がり４１の上面に畳４３が敷かれることにより、所謂、和コーナーとなる。
【００４０】
この集合住宅の部屋構造では、キッチン室空間Ｋのキッチンユニット１１とリビング室空間Ｌの隅３９との間に、小上がり４１による和コーナーとなる小上がり和室２１が形成されるので、小上がり４１による段差部に、容易に着座することができる。また、段差部へ着座できるため、容易に立ち上がることができる。小上がり和室２１は、同一平面のフローリング床面３１に畳４３のみを敷いた従来のリビング室空間に比べ、寝ころんでも不快感がない。すなわち、地べたに寝転んでいるような違和感がない。
【００４１】
小上がり和室２１は、乳幼児の一時的な寝かせ場所、洗濯物の取り込み・畳み場所として便利に使用できる。小上がり和室２１は、足を伸ばせる空間となり、こたつなどの設置も可能となる。小上がり和室２１は、キッチンユニット１１の対面側にカウンター１５が連続しており、和室風空間での食事等が可能となる。カウンター１５は、その高さが、一般的な座卓、ちゃぶ台、ローテーブル等と同等で使いやすいものとなる。カウンター１５は、テーブル１３から連続した面で構成されるので、テーブル１３との一体感もある。すなわち、椅子７１に座りテーブル１３を使う者と小上がり和室２１の畳上に座りカウンター１５を使う者とが同時に、連続した同じ面で使用、例えば食事や喫茶などをすることができ、共有感が向上する。
【００４２】
また、この集合住宅の部屋構造では、小上がり和室２１が、立体感のあるリビング室空間Ｌの一部として構成される。キッチン室空間Ｋに立つ人との距離が、所謂、カウンター付対面キッチンと同じとなり、小上がり和室２１のカウンター１５側がダイニング室空間Ｄを兼用する。このため、キッチン室空間Ｋ側からの開放感、キッチン室空間Ｋ側から小上がり和室２１を含むリビング室空間Ｌ，ダイニング室空間Ｄを見渡せる安心感が得られる。
【００４３】
また、この集合住宅の部屋構造では、カウンター１５が内壁２５に接続しない構成において、テーブル１３から内壁２５に向かって延在するカウンター１５の延在方向の終端と内壁２５との間に、カウンター非施工部４９が設けられる。なお、集合住宅の部屋構造では、このカウンター非施工部４９が設けられない場合には、カウンター１５の延在方向の終端が、内壁２５に接続される。
【００４４】
カウンター非施工部４９には、キッチンユニット１１の対面側に、押入５３やクローゼット６５となる収納部が配置される。キッチンユニット１１は、内壁側よりコンロ２７が並ぶので、コンロ２７の対面側に収納部５３，６５が配置される。つまり、コンロ２７と小上がり和室２１とは、収納部５３，６５により仕切られる。収納部５３，６５は、小上がり和室２１に臨む面が、開き戸や、引戸、クローゼット開閉扉となる。これにより、小上がり和室２１は、収納部５３，６５を備えた和室構成となり、座布団、ちゃぶ台やこたつの収納、寝具類の収納、その他の種々の用具や子供のおもちゃ等の収納が容易となり、さらに使い勝手がよくなる。その結果、小上がり和室２１が収納を備えることにより、小上がり和室２１が部屋のように使用可能となり、しかも、散らかることなく使用できる。
【００４５】
さらに、この集合住宅の部屋構造では、小上がり和室２１の段差部に、立ち上がり壁４７が設けられる。立ち上がり壁４７は、カウンター１５から出入口４５を介して離間する。出入口４５と反対側の立ち上がり壁４７は、内壁２５に隅３９を挟んで直角に交わる直交内壁５９に至って接続される。この立ち上がり壁４７の高さは、腰壁１７ほどの高さに設定することができる。従って、キッチン室空間Ｋからの、腰壁１７越しに小上がり和室２１の空間を含み、リビング室空間Ｌのフローリング床面３１側の空間への視線は、立ち上がり壁４７に遮られることなく見渡せる。特に、小上がり４１として構成されていることで、床面としては上昇しており、死角を減らしている。一方、小上がり和室２１に着座した状態では、リビング室空間Ｌのフローリング床面３１側の空間からの視線が遮られ、プライバシーの適度な確保が可能となる。なお、小上がり和室２１の畳４３で成人が起立した場合は、リビング室空間Ｌのフローリング床面３１側の空間やダイニング室空間Ｄなどを見渡すことが可能となる。
【００４６】
また、立ち上がり壁４７を設けた小上がり和室２１では、出入口４５を除いて周囲が壁に包囲されるので、特に幼児等の遊技空間としての安全が確保しやすくなる。その結果、小上がり和室２１からリビング室空間Ｌのフローリング床面３１側への視線、或いはその逆からの小上がり和室２１側への視線を遮ることができ、畳面に着座状態では小部屋のような感覚で居られるとともに、段差での落下を抑制できる。
【００４７】
従って、本実施形態に係る集合住宅の部屋構造によれば、小上がり４１の段差により、立ち上がりや着座が同一平面のフローリング床面３１に比べ容易となり、リビング室空間Ｌが利用しやすくなるとともに、畳４３から天井３７までの高さが低くなることにより、リビング室空間Ｌにおけるフローリング床面３１上とは別空間を認識でき、しかも、キッチン室空間Ｋから小上がり和室２１を見渡せる安心感も得ることができる。
【符号の説明】
【００４８】
１１…キッチンユニット
１３…テーブル
１５…カウンター
１７…腰壁
１９…隔壁
２１…小上がり和室
２３…リビング
２５…内壁
２７…コンロ
２９…シンク
３１…フローリング床面
３７…天井
３９…隅
４１…小上がり
４３…畳
４５…出入口
４７…立ち上がり壁
４９…カウンター非施工部
５３…収納部（押入）
６５…収納部（クローゼット）
Ｄ…ダイニング室空間
Ｋ…キッチン室空間
Ｌ…リビング室空間
【図１】
0003224260.tif 000003
【図２】
0003224260.tif 000004
【図３】
0003224260.tif 000005
【図４】
0003224260.tif 000006
【図５】
0003224260.tif 000007
【図６】
0003224260.tif 000008
【図７】
0003224260.tif 000009
【図８】
0003224260.tif 000010
【図９】
0003224260.tif 000011